【手続補正書】
【提出日】平成18年2月8日(2006.2.8)
【手続補正１】
【補正対象書類名】特許請求の範囲
【補正対象項目名】全文
【補正方法】変更
【補正の内容】
【特許請求の範囲】
【請求項１】
皮膚表面から皮膚内に伸長する毛嚢内にある複数の毛を皮膚領域から同時に除去するための装置であって、
アプリケータ（１８、４６´）と、
照射光の光源（１２）と、
前記照射光の光源から前記アプリケータの表面まで延在し、所定の波長の照射光をほぼ通過させる光路（１６、１１４）と、
を備え、
前記照射光は、前記アプリケータの表面を通過して前記皮膚表面に至り、６８０ｎｍから１２００ｎｍの波長と、１０Ｊ／ｃｍ２から２００Ｊ／ｃｍ２の作用力とを有し、
前記照射光の前記皮膚領域上での持続時間は、５０μｓから２００ｍｓである装置。
【請求項２】
前記照射光の前記皮膚領域上での持続時間が、５ｍｓから２００ｍｓである装置。
【請求項３】
皮膚表面から皮膚内に伸長する毛嚢内にある複数の毛を皮膚領域から同時に除去するための装置であって、
アプリケータ（１８、４６´）と、
照射光の光源（１２）と、
前記照射光の光源から前記アプリケータの表面まで延在し、所定の波長の照射光をほぼ通過させる光路（１６、１１４）と、
を備え、
前記照射光は、前記アプリケータの表面を通過して前記皮膚表面に至り、
前記装置は、前記アプリケータの表面の温度を前記皮膚領域の温度以下に冷却する冷却手段（５０、５２、１１８）を更に備えた装置。
【請求項４】
前記冷却手段（５０、５２、１１８）は、前記アプリケータが所定の深さに渡って圧接された前記皮膚領域を照射光が過熱するのを防止し、かつ前記皮膚領域内の皮膚が前記所定の深さを越えて加熱されることを阻害しないだけ、前記アプリケータの表面を冷却し、前記アプリケータの表面の温度を前記皮膚領域の温度以下にする請求項３に記載の装置。
【請求項５】
前記冷却手段（５０、５２、１１８）は、前記アプリケータ（１８、４６´）の近傍に配置された通路であり、前記通路の中を冷却水が流通するようにした請求項３又４に記載の装置。
【請求項６】
前記照射光は、６８０ｎｍから１２００ｎｍ、望ましくは６８０ｎｍから９００ｎｍの波長と、１０Ｊ／ｃｍ２から２００Ｊ／ｃｍ２の作用力とを有し、前記照射光の前記皮膚領域上での持続時間は、２ｍｓから２００ｍｓである請求項１、３、４、５のいずれか一つに記載の装置。
【請求項７】
少なくとも前記アプリケータ（１８、４６´）の表面は、前記皮膚領域内の前記皮膚表面の屈折率とほぼ一致する屈折率を有する材料から形成されている請求項１から請求項６のいずれか一つに記載の装置。
【請求項８】
前記アプリケータ（１８、４６´）は、毛が除去されるべき前記皮膚領域内の前記皮膚表面と接触するのに適した表面を備えている請求項１から請求項７のいずれか一つに記載の装置。
【請求項９】
皮膚表面から皮膚内に伸長する毛嚢内にある複数の毛を皮膚領域から同時に除去するための装置であって、
毛が除去されるべき前記皮膚領域内の前記皮膚表面と接触するのに適した表面を備えたアプリケータ（１８、４６´）と、
照射光の光源（１２）と、
前記照射光の光源から前記アプリケータの表面まで延在し、所定の波長の照射光をほぼ通過させる光路（１６、１１４）と、
を備え、
前記照射光は、前記アプリケータの表面を通過して前記皮膚表面に至り、
少なくとも前記アプリケータ（１８、４６´）の表面は、前記皮膚領域内の前記皮膚表面の屈折率とほぼ等しい屈折率を有する材料から形成されている装置。
【請求項１０】
前記光路に設けられた要素（４２、４６、１１６）を更に備え、前記要素は、前記アプリケータの表面を通過して前記アプリケータから放射された前記照射光を収斂させる請求項１から請求項９のいずれか一つに記載の装置。
【請求項１１】
皮膚表面から皮膚内に伸長する毛嚢内にある複数の毛を皮膚領域から同時に除去するための装置であって、
毛が除去されるべき前記皮膚領域内の前記皮膚表面と接触するのに適した表面を備えたアプリケータ（１８、４６´）と、
照射光の光源（１２）と、
前記照射光の光源から前記アプリケータの表面まで延在し、所定の波長の照射光をほぼ通過させる光路（１６、１１４）と、
を備え、
前記照射光は、前記アプリケータの表面を通過して前記皮膚表面に至り、
前記装置は、前記光路に設けられた要素（４２、４６、１１６）を更に備え、
前記要素は、前記アプリケータの表面を通過して前記アプリケータから放射された前記照射光を収斂させる装置。
【請求項１２】
前記要素は、レンズである請求項１０又は請求項１１に記載の装置。
【請求項１３】
前記照射光は、６８０ｎｍから１２００ｎｍ、望ましくは６８０ｎｍから９００ｎｍの波長と、１０Ｊ／ｃｍ２から２００Ｊ／ｃｍ２の作用力とを有し、前記照射光の前記皮膚領域上での持続時間は、２ｍｓから２００ｍｓである請求項９から請求項１２のいずれか一つに記載の装置。
【請求項１４】
ハウジング（４８）を更に備え、前記アプリケータの表面は、前記ハウジング上に配置され、凸形状の表面を有し、前記光路（１６、１１４）は、前記ハウジングを通って前記照射光の光源から前記アプリケータの表面まで延在している請求項１から請求項１３のいずれか一つに記載の装置。
【請求項１５】
前記アプリケータ（４６´）の表面には、スロット（１１０）が形成され、前記光路（１１４）は、少なくとも前記スロットの両側まで延び、前記スロット内に少なくとも前記皮膚領域の一部分（１１３）を位置決めするための位置決め手段を備えた請求項１から請求項１４のいずれか一つに記載の装置。
【請求項１６】
前記位置決め手段は、前記スロットに負圧を与える手段を備えた請求項１５に記載の装置。
【請求項１７】
前記照射光の光源は、レーザである請求項１から請求項１６のいずれか一つに記載の装置。
【請求項１８】
皮膚表面から皮膚内に伸長する毛嚢内にある複数の毛を皮膚領域から同時に除去する方法を実行するために用いられるのに適した装置であって、
ハウジングと、
前記ハウジングに照射光を伝播するトランスミッタと、
前記ハウジング上に配置され、凸形状を有し、前記皮膚領域内の前記皮膚表面に圧接されるのに適した表面と、
前記ハウジングを通って前記トランスミッタから前記表面まで延在し、所定の波長の照射光をほぼ通過させる光路と、
前記光路内に配置され、前記表面を通過して前記アプリケータから放射された前記照射光を収斂させる要素と、
前記表面を前記皮膚領域の温度より低い温度に冷却する冷却手段と
を備えた装置。
【請求項１９】
前記ハウジング上に配置され且つ前記皮膚領域内の前記皮膚表面に圧接されるのに適した前記表面には、スロットが形成され、前記光路は、前記スロット内において少なくとも前記スロットの両側まで延在し、前記皮膚領域の一部を前記スロット内に位置決めする位置決め手段を備えた請求項１８に記載の装置。
【請求項２０】
前記位置決め手段は、前記スロットに負圧を与える手段を備える請求項１９に記載の装置。
【請求項２１】
少なくとも前記アプリケータの表面は、前記皮膚領域内の前記皮膚表面の屈折率とほぼ等しい屈折率を有する材料から形成されている請求項１８、１９、２０のいずれか一つに記載の装置。
【請求項２２】
前記要素は、レンズである請求項１８から請求項２１のいずれか一つに記載の装置。
【請求項２３】
前記冷却手段は、前記アプリケータ（１８、４６´）の近傍に配置された通路であり、前記通路の中を冷却水が流通するようにした請求項１８から請求項２１のいずれか一つに記載の装置。
【請求項２４】
皮膚表面から皮膚内に伸長する毛嚢内にある複数の毛を皮膚領域から同時に除去するための装置であって、
前記皮膚領域内の複数の毛を有する前記皮膚表面の一部に圧接されるのに適したアプリケータであって、前記皮膚表面と接触する表面と、前記表面を冷却する冷却機構を備え、前記冷却機構は、前記アプリケータが所定の深さに渡って圧接された前記皮膚領域を照射光が過熱するのを防止し、かつ前記皮膚領域内の皮膚が前記所定の深さを越えて加熱されることを阻害しないだけ、前記アプリケータの表面を冷却し、前記アプリケータの表面の温度を前記皮膚領域の温度以下にするアプリケータと、
照射光の光源と、
前記照射光が前記アプリケータを通過して前記皮膚領域に至るように、前記照射光の光源から前記アプリケータに照射光を与える手段と
を備えた装置。
【請求項２５】
前記照射光の光源からの照射光は、６８０ｎｍから１２００ｎｍの波長と、１０Ｊ／ｃｍ２から２００Ｊ／ｃｍ２の作用力と、５０μｓから２００ｍｓのパルスの持続時間を有する請求項２４に記載の装置。
【請求項２６】
前記冷却手段は、前記アプリケータ（１８、４６´）の近傍に配置された通路であり、前記通路の中を冷却水が流通するようにした請求項２５に記載の装置。
【請求項２７】
前記アプリケータは、前記皮膚表面と接触する表面を有し、前記アプリケータの表面には、スロットが形成され、前記照射光を与える手段は、前記アプリケータ内で少なくとも前記スロットの両側まで延在する光路を備え、前記アプリケータは、前記皮膚領域の一部を、前記スロットの前記両側の間に位置決めする位置決め手段を備えた請求項２４から請求項２６のいずれか一つに記載の装置。
【請求項２８】
前記照射光の前記皮膚領域上での持続時間は、２ｍｓから１００ｍｓである請求項１及び請求項３から請求項２８のいずれか一つに記載の装置。
【請求項２９】
皮膚表面から皮膚内に伸長する毛嚢にある複数の毛を皮膚領域から同時に除去する装置であって、
前記皮膚領域において複数の毛を含む前記皮膚表面の一部に圧接するのに適したアプリケータと、
波長が６８０〜１２００ｎｍ、作用力が１０〜２００Ｊ／ｃｍ２、パルスの持続時間が２〜２００ｍｓである照射光の光源と、
前記照射光を前記光源から前記アプリケータに伝播する手段とを具備し、前記照射光が前記アプリケータを介して前記皮膚領域に照射されることを特徴とする装置。